(57)【特許請求の範囲】
【請求項１】
容器の口筒部に、キャップと中栓を介してスリットバルブを取着した吐出容器であって、
スリットバルブは、筒壁とフランジとを具えたバルブ基体と、オリフィス形成壁と側壁とを具えたバルブヘッドからなっており、
バルブヘッドの側壁下端が、薄肉の連結部を介してバルブ基体の筒壁上端に連設されており、
前記オリフィス形成壁には、スリットが切込まれ、スリット端を囲んで補強リブが配設されていることを特徴とする内容物吐出容器のスリットバルブ。
【請求項２】
補強リブをオリフィス形成壁の下面、または上面、または上下両面に設けたことを特徴とする請求項１記載のスリットバルブ。
【請求項３】
補強リブの形状が、スリット端を囲む環状リブ、またはスリット端に対向する突起、またはスリットに沿ってスリットを囲繞するよう形成されたリブであることを特徴とする請求項１または２記載のスリットバルブ。
【発明の詳細な説明】
【０００１】
【発明の属する技術分野】
本発明は、口筒部にスリットバルブを取着した内容物吐出容器、とくにオリフィス形成壁に形成されたスリットの切込み長さの伸長を防止するようにしたスリットバルブを備えた吐出容器に関する。
【０００２】
【従来の技術】
容器口部に弾性を有する柔軟な材料により成型され、バルブヘッドのオリフィス形成壁にスリットを形成したスリットバルブを装着し、容器胴部を手で押圧することによってスリットバルブを開閉させ、所定量の内容物を吐出するようにした吐出容器において、内容物の物性とバルブ材料の材質に応じてスリットの形状，寸法を設定し、押圧時に適量の内容物を吐出するようにしたスリットバルブは、従来より知られている（例えば特開昭６１−３３９２７号公報、特開平７−１３２９７９号公報参照）。
【０００３】
【発明が解決しようとする課題】
しかしながら、従来のスリットバルブは、弾性を有する一定厚のオリフィス形成壁にスリットを形成しているから、オリフィス形成壁の開閉がくり返されることによってスリット端にくり返して働く引裂き力、或いは内容物充填後の使用時における落下衝撃等のウォーターハンマー現象によるスリットバルブへの負荷によって発生する引裂き力等によって、スリットの切込み長さが設定された長さより大きくなり、使用中にバルブの吐出流量が増加するという問題、および吐出方向の不安定化、スリットバルブの液切れ低下、気密性低下という問題が生じてきた。
【０００４】
本発明は、上記の問題点を解決するため、スリットの切込み長さの伸長を防止することを技術的課題として、新規なスリットバルブを備えた内容物吐出容器を提供することを目的とする。
【０００５】
【課題を解決しようとする手段】
本発明は、上記の技術的課題を達成するため、容器の口筒部に、キャップと中栓を介してスリットバルブを取着した吐出容器であって、スリットバルブは、筒壁とフランジとを具えたバルブ基体と、オリフィス形成壁と側壁とを具えたバルブヘッドからなっており、バルブヘッドの側壁下端が、薄肉の連結部を介してバルブ基体の筒壁上端に連設されており、前記オリフィス形成壁には、スリットが切込まれ、スリット端を囲んで補強リブが配設されていることを特徴とする構成を採用する。
【０００６】
補強リブの設置個所について、オリフィス形成壁の下面、または上面、または上下両面に設けたことを特徴とする構成を採用し、形状について、補強リブの形状が、スリット端を囲む環状リブ、またはスリット端に対向する突起、またはスリットに沿ってスリットを囲繞するよう形成されたリブ等であることを特徴とする構成を採用する。
【０００７】
【発明の実施の形態】
次に、本発明の実施形態について、図面を参照して説明する。
図１，２において、Ａは容器、Ｂはキャップ、Ｃは中栓、Ｄはスリットバルブである。
容器Ａは、可撓性を有する合成樹脂を素材として成形されており、円形の口筒部１と胴部２および底部３とからなっている。
口筒部１は、縮径部４と嵌合部５、拡径部６とからなり、嵌合部５の中間に嵌合突条７が設けられ、拡径部６の下端に胴部２の肩部との連続部に段部８が形成されている。
胴部２は扁平状に形成され、対向する扁平壁面９を押圧面として操作に応じて変形、復元可能としている。
容器Ａの内容物として、家庭用の洗剤、化粧料、食料等が、粉体、液体、粘性液、粘性流動物の形態で充填される。
【０００８】
図３に示すように、キャップＢは、硬質の合成樹脂によって成形され、中蓋Ｂ１と、該中蓋Ｂ１に被嵌される上蓋Ｂ２とからなっている。
中蓋Ｂ１は、下筒１０とその上端から延び縮径された上筒１１と、中央に開口１２を有する漏斗状の上壁１３を具えている。
下筒１０の周縁上端は段部１４となっており、下筒１０の上端部内周には、中栓Ｃに対する嵌合面１５が設けられ、その下側に嵌合突条１６が形成されている。
下筒１０の下部は、外方に拡径されて拡径部１７となっており、該拡径部１７の内周面に容器Ａの口筒部１の嵌合突条７に接合する係合面１８と嵌合突条１９が設けられている。
上筒１１の下部には、嵌合突条２０が設けられており、上壁１３の下面の所定個所にバルブ保持筒２１が垂設されている。
【０００９】
上蓋Ｂ２は、上壁２２と側壁２３とからなっており、上壁２２は、中蓋Ｂ１の上壁１３に接合する周端壁２４と該周端壁２４より凹んで位置する平壁２５とから形成され、平壁２５の下面には、係止リング２６が設けられている。
側壁２３の内周下部には、中蓋Ｂ１の嵌合突条２０に係合する嵌合溝２７が設けられている。
【００１０】
中栓Ｃは、軟質または硬質の合成樹脂によって成型され、上壁３０と、該上壁３０の内周縁から下垂する嵌合筒３１と、上壁の上面に立設されたバルブ保持筒３２とからなり、バルブ保持筒３２の内周面には、環状の膨出部３３が設けられている。
嵌合筒３１の外周は、口筒部１の内周に嵌合され、上壁３０の外周は、キャップＢの下筒１０の嵌合面１５内周に嵌合するようになっている。
【００１１】
図４に示すように、スリットバルブＤは、シリコンゴム、その他のエラストマー、軟質の合成樹脂等によって成型されており、バルブ基体４０とバルブヘッド４１とを備えている。
バルブ基体４０は、筒壁４２と、該筒壁４２の外周面から突出するフランジ４３を備えており、筒壁４２のフランジ４３下方は中栓の嵌合筒３１の内周に嵌合する嵌合面４４となっている。
フランジ４３上面には、断面台形の保持リング４５が突設され、フランジ４３の外周面４６には、膨出突条４７が形成されている。
【００１２】
バルブヘッド４１は、上面を球面状凹部としたオリフィス形成壁４８と、該オリフィス形成壁４８を支持するようにオリフィス形成壁４８の周縁から垂設する側壁４９とを具えており、該側壁４９の下部に、外周方向にレ字形に屈曲され、バルブ基体４０の筒壁４２上端に連なる薄肉の連結部５０が形成されている。
オリフィス形成壁４８の中央には、十字形のスリット５１が切り込まれており、オリフィス形成壁４８の下面には、スリット端５１ａを囲んで補強リブ５２が環状に形成されている。
【００１３】
スリットの形状は、十字状に限定されるものでなく、一本のスリット、三本のスリットをＹ字状に配置したもの、四本のスリットを米字状に配置したものであってもよい。
スリット５１の形状と切込み長さは、従来技術と同様に、内容物の粘度，一回毎に所望する使用量，スリットバルブの材質，形状に応じて設定される。
【００１４】
次に、キャップＢ，中栓Ｃ，スリットバルブＤの組立とそのときの作用について説明すると、まず、スリットバルブＤのバルブ基体４０を中栓Ｃに保持させる。
その際、スリットバルブＤの筒壁４２の嵌合面４４が、中栓Ｃの嵌合筒３１内周に嵌挿支持され、フランジ４３が中栓Ｃの上壁３０に載置されるとともにバルブ保持筒３２の膨出部３３で押さえられることによって、スリットバルブＤは定位置に保持される。
【００１５】
次いで、スリットバルブＤを保持した中栓ＣをキャップＢに嵌挿する。
その際、中栓Ｃの上壁３０外周は、キャップ中蓋Ｂ１下筒１０上端の嵌合面１５に保持され、嵌合突条１６によって位置決めされ、中蓋Ｂ１のバルブ保持筒２１がバルブ基体４０の保持リング４５に係合し、スリットバルブＤは、キャップ中蓋Ｂ１のバルブ保持筒２１と中栓Ｃのバルブ保持筒３２によって係止される。また、バルブヘッド４１は、キャップＢの上蓋Ｂ２の係止リング２６によって位置決めされ、平壁２５によって被蓋される。
上記のようにスリットバルブＤと中栓Ｃを結合したキャップＢは、内容物を充填した容器Ａに打栓され吐出容器が構成される。
【００１６】
次に、容器の使用態様と吐出作用について説明すると、上蓋Ｂ２を取り外し、バルブヘッド４１を露出させ、容器Ａの押圧面を手で押圧すると、容器内の内圧の増加とともに、バルブヘッド４１の側壁４９が上昇し、内圧が一定圧に達するとオリフィス形成壁４８の凹部が上昇し、スリット５１が開いてオリフィスが形成され、内容物が吐出される。
押圧を解くと、容器自体の復元力によって容器Ａが元の状態に復帰し、その際内圧が低下するので、バルブヘッド４１は元の状態に復元するとともにスリット５１が逆方向に開かれ大気が導入される。
内圧が大気圧に等しくなるとスリット５１が閉じられ、内容物の密封が維持される。
【００１７】
使用にあたって、使用者が一定圧以上の内圧となるよう容器Ａを瞬間的に押圧すると、少量で適量の内容物が吐出され、大量の内容物を必要とする場合は、くり返して押圧すると所望量の内容物を吐出させることができる。
吐出終了後に上蓋Ｂ２を被嵌すると、係止リング２６がバルブヘッド４１上端外周縁に係合し、バルブヘッド４１の側壁４９の上昇、オリフィス形成壁４８の変形を防ぐので、容器Ａを押圧してもバルブヘッド４１は作動しない。
【００１８】
次に補強リブの作用効果について説明すると、内容物の吐出にあたって、オリフィスは、隣り合うスリット端５１ａを結ぶ線を軸として、オリフィス形成壁が開閉されることによって形成され、オリフィス形成壁に曲げモーメントが働き、スリット端５１ａ基部には引裂き力が働くことになるが、スリット端を囲んで、環状の補強リブが設けられていることによって、引裂き力に対して剪断応力が大きくなり、引裂き力によりスリット５１の切込み長さが伸長されることが防止される。
【００１９】
また、内容物充填後の使用時に、容器を落下させても、ウォーターハンマー現象によるスリットバルブへの負荷によってスリットに対する引裂き力が発生するが、その場合にもスリットの切込み長さが伸長することも防止される。
【００２０】
【実施例】
前記実施形態においては、補強リブを環状としてオリフィス形成壁の下面に設けるようにしたが、補強リブの設定個所、形状を変更した別実施例について、次に説明する。
【００２１】
第１実施例は、環状の補強リブをオリフィス形成壁４８の上下面に設けたもので、図５に示すように、オリフィス形成壁４８の下面には、前記実施形態と同様にスリット端５１ａを囲んで環状の補強リブ６０が設けられており、上面にも、同じく環状の補強リブ６１が設けられている。
補強リブが上下に設けられているため、剪断応力は一層大きくなり、切込み長さの伸長防止効果は大きくなっている。
【００２２】
第２実施例は、補強リブをオリフィス形成壁４８の上面に設けたもので、図６に示すようにオリフィス形成壁４８の上面にスリット端５１ａを囲んで補強リブ６２が設けられており、前記実施形態と同様の作用効果を得ることができる。
【００２３】
次に、補強リブの形状に関する別実施例について、図７を参照して説明する。前記実施形態および上記実施例においては、補強リブをスリット端５１ａを囲んで環状に形成しているが、図７（ａ）に示すように、スリット端５１ａに対向して突起６３を設けても、補強リブ５２と同等の作用効果がもたらされる。
また、図７（ｂ）に示すように、スリット５１に沿って、スリット５１を囲繞するように補強リブ６４を設けてもよく、実施形態に示したものと同等の作用効果を得ることができる。
【００２４】
前記実施形態では、スリットバルブＤの側壁４９下端に薄肉の連結部５０を設け、側壁４９とオリフィス形成壁４８が吐出時に上昇するようにしているが、図８に示すように、側壁４９とバルブ基体４０の筒壁４２とを円錐型の筒体６５で連結するようにしてもよい。
【００２５】
また、容器Ａ、キャップＢについて、前記実施形態では容器Ａの胴部２を扁平状に形成したが、胴部２が押圧操作に応じて変形，復元可能なものであれば、円形容器，角形容器であってもよく、その形状は扁平状に限定されない。
また、容器Ａとしてチューブ容器も採用することができ、容器使用中の保存時には、容器は直立，横倒し，倒立のいずれの状態であってもよい。
【００２６】
また、容器Ａの口筒部１に嵌合突条７を設け、キャップ中蓋Ｂ１の下筒１０内周に嵌合面１５と嵌合突条１６を設け、キャップ中蓋Ｂ１を容器の口筒部１に打栓するようにしているが、容器の口筒部１外周とキャップ中蓋Ｂ１の下筒１０内周にネジを形成し、キャップ中蓋Ｂ１の下筒１０を口筒部１に螺着するようにしてもよい。
【００２７】
また実施形態では、上蓋Ｂ２の平壁２５下面の係止リング２６を、バルブヘッド４１上端周縁の外側に係合するよう設けているが、バルブヘッド４１上端周縁の内側に係合するように設けてもよい。
【００２８】
【発明の効果】
本発明は、スリット端を囲んで補強リブを設け、オリフィス形成壁の剪断応力を高めスリット端の引裂きを防止するようにしているので、オリフィス形成壁の開閉によりくり返し発生する引裂き力、内容物充填後の容器使用時における落下衝撃等によって発生する引裂き力等によるスリットの切込み長さの伸長を防止することができる。
【００２９】
そのため、オリフィス面積が変わらないので、内容物の吐出完了に至るまで吐出流量を一定値に維持することができる。
また、スリットの切込み長さの伸長による吐出方向の不安定化、スリットバルブの液切れ低下、気密性低下という現象をなくすことができる。
【図面の簡単な説明】
【図１】本発明の吐出容器の斜視図である。
【図２】吐出容器の一部断面正面図である。
【図３】容器口筒部の拡大断面図である。
【図４】スリットバルブを示す図で、（ａ）は平面図、（ｂ）は正面断面図、（ｃ）は底面図である。
【図５】  スリットバルブの一実施例を示す図で、（ａ）は平面図、（ｂ）は正面断面図である。
【図６】  スリットバルブの一実施例を示す正面断面図である。
【図７】  補強リブの変形例を示す図で、（ａ）は突起、（ｂ）は囲繞リブの説明図である。
【図８】  スリットバルブの一実施例を示す正面断面図である。
【符号の説明】
Ａ      容器
Ｂ      キャップ
Ｂ１    中蓋
Ｂ２    上蓋
Ｃ      中栓
Ｄ      スリットバルブ
１      口筒部
２      胴部
３      底部
９      扁平壁面
１０      下筒
１１      上筒
１２      開口
１３，２２，３０      上壁
２１，３２            バルブ保持筒
２４      周端壁
２５      平壁
２６      係止リング
３１      嵌合筒
３３      膨出部
４０      バルブ基体
４１      バルブヘッド
４２      筒壁
４３      フランジ
４５      保持リング
４８      オリフィス形成壁
５１      スリット
５１ａ    スリット端
５２，６０，６１，６２，６４      補強リブ
６３      突起
６５      筒体
【図１】
0003722929.tif 000002
【図２】
0003722929.tif 000003
【図３】
0003722929.tif 000004
【図４】
0003722929.tif 000005
【図５】
0003722929.tif 000006
【図６】
0003722929.tif 000007
【図７】
0003722929.tif 000008
【図８】
0003722929.tif 000009